(57)【要約】      （修正有）【課題】コミュニティＦＭ放送を利用した緊急放送用受信機、送信機を提供する。【解決手段】緊急告知ＦＭラジオにおいて、無線ＦＭ放送を受信する無線放送受信手段101aと、ＣＡＴＶネットワークからＦＭ放送を受信するネットワーク受信手段101bと、前記ＦＭ放送に含まれる所定のＤＴＭＦ（ダイアルトーン・マルチフレケンシー）信号を検出する検出手段111A,111Bと、検出信号が与えられると前記ラジオの電源がオフであってもオンとして大音量の出力を生じる音声出力手段とをそなえた緊急告知ＦＭラジオ、ならびに緊急放送を行う際に投入されるスイッチ、およびマイクロフォンを有する防災対策室手段と、前記防災対策室手段に接続され、前記スイッチの投入により所定のＤＴＭＦ信号を形成する信号発生器、このＤＴＭＦ信号と前記マイクロフォンによる音声信号とを混合した信号を形成するミキサ、およびこのミキサの出力をＦＭ電波として送出する送信手段とをそなえた緊急告知用送信機。【選択図】図２
0003118188.tif 000002
【実用新案登録請求の範囲】
【請求項１】
緊急告知ＦＭラジオにおいて、
無線ＦＭ放送を受信する無線放送受信手段と、
ＣＡＴＶネットワークからＦＭ放送を受信するネットワーク受信手段と、
前記ＦＭ放送に含まれる所定のＤＴＭＦ（ダイアルトーン・マルチフレケンシー）信号を検出する検出手段と、
前記検出手段から検出信号が与えられると前記ラジオの電源がオフの場合であってもオンとして大音量の出力を生じる音声出力手段と
をそなえたことを特徴とする緊急告知ＦＭラジオ。
【請求項２】
請求項１記載の緊急告知ＦＭラジオにおいて、
前記検出手段は、始動信号および停止信号を含む少なくとも２種類のＤＴＭＦ信号を検出し、
前記音声出力手段は、前記始動信号に応じて大音量出力動作を始動し、前記停止信号に応じて停止する
ようにした緊急告知ＦＭラジオ。
【請求項３】
請求項１記載の緊急告知ＦＭラジオにおいて、
操作に応じて前記ラジオの電源をオフにする復帰スイッチをそなえ、前記復帰スイッチの操作により前記ラジオを動作停止させるようにした緊急告知ＦＭラジオ。
【請求項４】
請求項１記載の緊急告知ＦＭラジオにおいて、
前記ＣＡＴＶネットワークに接続するためのコネクタを有する緊急告知ＦＭラジオ。
【請求項５】
請求項１記載の緊急告知ＦＭラジオにおいて、
手回し式発電機をそなえ、他の電源と併用するようにした緊急告知ＦＭラジオ。
【請求項６】
請求項１記載の緊急告知ＦＭラジオにおいて、
前記受信手段は、受信周波数が半固定的に選択される緊急告知ＦＭラジオ。
【請求項７】
請求項６記載の緊急告知ＦＭラジオにおいて、
前記受信手段は、デジタルスイッチにより受信周波数が半固定的に選択される緊急告知ＦＭラジオ。
【請求項８】
請求項１記載の緊急告知ＦＭラジオにおいて、
据え置きおよび壁掛け両用のケースに収容された緊急告知ＦＭラジオ。
【請求項９】
請求項１記載の緊急告知ＦＭラジオにおいて、
周囲を照明する照明手段を有する緊急告知ＦＭラジオ。
【請求項１０】
請求項９記載の緊急告知ＦＭラジオにおいて、
前記照明手段は、停電により点灯し所定時間点灯するようにした緊急告知ＦＭラジオ。
【請求項１１】
請求項１記載の緊急告知ＦＭラジオにおいて、
緊急放送受信時に、緊急放送の受信中であることを視覚表示する手段をそなえた緊急告知ＦＭラジオ。
【請求項１２】
請求項１記載の緊急ＦＭラジオにおいて、
前記ラジオは、緊急放送の外に、通常放送も受信できる緊急告知ラジオ。
【請求項１３】
緊急放送を行う際に投入されるスイッチ、およびマイクロフォンを有する防災対策室手段と、
回線を介して前記防災対策室手段に接続され、前記スイッチの投入により所定のＤＴＭＦ信号を形成する信号発生器、この信号発生器からのＤＴＭＦ信号と前記マイクロフォンによる音声信号とを混合した信号を形成するミキサ、およびこのミキサの出力をＦＭ電波として送出する送信手段と
をそなえた緊急告知ＦＭ送信機。
【請求項１４】
請求項１３記載の緊急告知ＦＭ送信機において、
外部からの信号を受信する受信手段を有し、この受信手段の受信信号を前記ミキサに与えるようにした緊急告知ＦＭ送信機。
【考案の詳細な説明】
【技術分野】
【０００１】
本考案は、緊急放送の送、受信装置に係わり、とくにコミュニティＦＭ放送を利用した緊急告知ＦＭラジオおよび緊急告知ＦＭ送信機に関する。
【背景技術】
【０００２】
災害発生時の対策としては、まず緊急広報を行うことが必要とされる。そして、自然災害であるにせよ、それ以外であるにせよ、災害は比較的小さな地域に限られる。したがって、対象地域に効果的に情報を告知する必要がある。
【考案の開示】
【考案が解決しようとする課題】
【０００３】
緊急事態発生を告知する手段としては、種々のものが考えられるが、必ずしも適当ではないものが多い。屋外拡声装置は、強風雨下で屋内には音声が届かないし、電話は回線が輻輳して繋がり難くなり、電子メールは扱えない人がおり、有線放送は施設自体があまり設置されておらず、インターネットによるものはセンター等のトラブルとか停電で機能しない上に安価とはいえない端末機を必要とし、ＣＡＴＶネットワークは受信者が限定されるとか機器費用が高価であり、防災無線は高価な施設が必要である。
【０００４】
これらに比べてコミュニティＦＭ放送は、種々の利点がある。すなわち、風雨に影響されず、屋内で聴取でき、施設および受信装置を安価かつ軽便に形成でき、災害時でも稼動不能に陥り難い、等である。
【０００５】
本考案は上述の点を考慮してなされたもので、コミュニティＦＭ放送を利用した緊急放送用受信機、送信機を提供することを目的とする。
【課題を解決するための手段】
【０００６】
上記目的達成のため、本考案では、
緊急告知ＦＭラジオにおいて、
無線ＦＭ放送を受信する無線放送受信手段と、
ＣＡＴＶネットワークからＦＭ放送を受信するネットワーク受信手段と、
前記ＦＭ放送に含まれる所定のＤＴＭＦ（ダイアルトーン・マルチフレケンシー）信号を検出する検出手段と、
前記検出手段から検出信号が与えられると前記ラジオの電源がオフの場合であってもオンとして大音量の出力を生じる音声出力手段と
をそなえたことを特徴とする緊急告知ＦＭラジオ、
を提供する。
【考案の効果】
【０００７】
本考案は上述のように、コミュニティＦＭ放送を媒体として緊急放送を送、受信するようにしたため、地域に密着しかつ災害に強い緊急時の情報伝達を達成することができる。
【考案を実施するための最良の形態】
【０００８】
以下、添付図面を参照して本考案の実施形態を説明する。
【実施形態１】
【０００９】
図１は、本考案に係るシステム全体の構成を示したもので、いわゆるコミュニティＦＭ放送システムを基礎に構成されている。すなわち、各家庭には、ＦＭラジオ１００が設置されており、図示の場合はＣＡＴＶネットワーク経由のＦＭ放送も受信できる構成となっている。
【００１０】
一方、放送局２００は、マイクロフォンＭＩＣ、コンパクトディスクＣＤ等の音声信号を送信設備２０１から送信アンテナ２０２に送って電波として送出する。送信設備２０１には、ＤＴＭＦ信号発生器２０３が接続されており、緊急時にスイッチＳＷをオンすると、送信設備には優先的にＤＴＭＦ信号が送り込まれ、緊急放送が開始される。
【００１１】
また、携帯機器２１１に対し、音源としてのＣＤ，ＭＤからＤＴＭＦ信号を音声入力し、受信機１２を経て送信設備２０１にＤＴＭＦ信号を送ることができる。これにより、遠隔地点から送信設備２０１を介してＦＭラジオ１００の電源をオンさせるとともに、送信設備２０１に緊急情報を送り込むことができる。
【００１２】
当該通信エリア内では、各家庭のＦＭラジオ１００が、当該ＦＭ局の受信周波数にセットされており、常時は当該ＦＭ局の放送を通常のラジオとして受信するが、緊急放送時は強制的に始動されて大音量出力で受信するように動作状態が切り替わる。ただし、ＦＭラジオ１００の受信周波数は、半固定方式としておくことにより必要に応じて変更することもできる。
【００１３】
図２は、本考案に係る緊急放送受信用のＦＭラジオの一実施形態を示すブロック線図である。このＦＭラジオは、常時は電源のオン、オフを行いかつ音量調整を行って、所要時に当該ＦＭ局の放送を任意音量で受信するものであるが、同一ＦＭ電波によりＤＴＭＦ信号が送信されると自動的に電源が投入され、緊急放送の大音量での受信に切り替わる。併せて、緊急放送であることを視覚表示することもできる。
【００１４】
緊急放送を常時受信するために、電源は充電式電池を有し、常時は充電式電池に充電しており、災害発生により停電しても受信を継続できるようにしている。そして、緊急放送の受信後に、了解スイッチにより復帰操作をするかまたは復帰信号を受信すると、任意音量での放送受信に戻る。
【００１５】
アンテナは、電波受信用アンテナ１０１ａおよびケーブルテレビジョン受信用のＦ型コネクタ１０１ｂを有する。電波受信用アンテナ１０１ａの受信信号はスイッチ１０３を介して、またＦ型コネクタ１０１ｂの受信信号はフィルタ１０２を介してＦＭチューナ１０４に与えられる。
【００１６】
電波受信用アンテナ１０１ａとＦ型コネクタ１０１ｂとはスイッチ１０３により機械的に連動して、アンテナ１０１ａを引き出すことによりスイッチ１０３が入るように構成することもできる。これにより、いずれのルートからの放送でも受信できるから、緊急放送をより確実に受信することができる。
【００１７】
ＦＭチューナ１０４により取り出された音声信号は音量調整回路であるアンプ１０５に与えられ、スイッチ付きボリューム１０６のスイッチ１０６ａがオンであるとき、可変抵抗１０６ｂの設定位置で定まる音量の信号をアンプ１０５から発音装置であるスピーカ１０７に送出する。
【００１８】
一方、ＦＭチューナ１０４の検出信号は、ＤＴＭＦ判定装置１１１Ａ，１１１ＢおよびＤＴＭＦ設定スイッチ１１２Ａ，１１２Ｂをそなえたトーン検出装置に与えられる。そして、ＦＭチューナ１０４からの検出信号が、ＤＴＭＦ判定回路１１１に与えられてＤＴＭＦ設定スイッチ１１２Ａ，１１２Ｂにより予め設定されている始動用および停止用のＤＴＭＦ設定信号と一致するか否かが判定される。ＤＴＭＦ設定スイッチ１１２Ａ，１１２Ｂは、ＤＴＭＦ信号、例えば電話用ＤＴＭＦ信号中の５つのトーンを選択することで５桁の設定ができる。図２の場合、５つのトーンを擬音表記して「ピポパピポ」および「ポピプペパ」と表されている。
【００１９】
ＤＴＭＦ判定回路１１１Ａが一致判定すると、一致出力を保持回路１１３に与えて保持動作を行わせ、保持出力を緊急表示回路１１５Ａ、照明回路１１５Ｂ、電源オンスイッチ１１７および音量増大スイッチ１１８に与える。これにより、アンプ１０５はオンとなりしかも最大音量または大音量で信号増幅を行い、スピーカ１０７から音声出力する。また、緊急表示回路１１５Ａが赤色発光ダイオード１１６Ａを点滅発光させるとともに、照明回路１１５Ｂが発光ダイオード１１６Ｂを点滅発光されてから連続発光させる。このとき、保持出力は、外部出力端子ＯＵＴにも与えられているから外部に取り出すことができる。
【００２０】
すなわち、所定の緊急放送が行われると、ＤＴＭＦ判定回路１１１Ａが一致判定を行ってスピーカ１０７から緊急放送を大音量で出力するとともに、緊急表示回路１１５Ａの動作、およびこれによる発光ダイオード１１６Ａの点滅発光、ならびに照明回路１１５Ｂの動作およびこれによる発光ダイオード１１６Ｂの点滅発光によっても緊急放送であることを表示する。したがって、この受信装置からある程度の距離にいる人々は、聴覚および視覚の両方により緊急放送のあることを知ることができる。
【００２１】
発光ダイオード１１６Ａは赤色のものを用い、「緊急放送」もしくは「緊急」の文字を表示するように配置されている。発光ダイオード１１６Ｂは、基本的に照明用であり、白色のものを用いる。
【００２２】
発光ダイオード１１６Ｂは、点滅発光ののち緊急放送受信中でも自動的に連続発光になり、緊急放送受信中の照度を確保する。
【００２３】
緊急放送が終了すると、ＦＭチューナ１０４から停止用のＤＴＭＦ信号が与えられ、ＤＴＭＦ判定回路１１２Ｂが一致判定すると一致出力を保持回路１１３に与えて保持動作を解除する。
【００２４】
このとき、緊急表示回路１１５Ａおよび照明回路１１５Ｂには、了解スイッチ１１４から復帰信号が与えられるから、発光ダイオード１１６Ａおよび発光ダイオード１１６Ｂを消灯させる。
【００２５】
また、緊急放送を受信した後は、了解スイッチ１１４を操作すると、保持回路１１３がリセットされて保持出力を生じなくなる。
【００２６】
この受信装置は、常時は商用電源１２０から給電されて動作するが、不意の緊急放送に対応するため、電源回路には充電式電池１２２を備えている。この充電式電池１２３には、商用電源１２０を利用した充電を行っており、災害発生により商用電源からの給電が停止しても、所定時間は放送を受信できるようになっている。さらに、電源ラインには、発電機１１９が接続されており、発電機１１９は手動ハンドル１５４により駆動される。そして、商用電源が停電したときは、停電検知回路１２１が所定時間だけ検知出力を照明回路１１５Ｂに与えて発光ダイオード１１６Ｂによる照明を行う。
【００２７】
なお、照明回路１１５Ｂには、照明スイッチ１１５Ｂｓが接続されており、この照明スイッチ１１５Ｂｓによって発光ダイオード１１６Ｂを点灯することもできる。
【００２８】
図３は、図２に示したＦＭ受信機１５０の外観を示した斜視図である。図示のように、このＦＭ受信機１５０は、据え置きおよび壁掛け可能なケース１５１に収容されている。そして、ケース１５１の外周には、受信アンテナ１０１ａ、ＣＡＴＶネットワーク接続用のコネクタ１０１ｂ、スイッチ付き音量調整摘み１０６、スピーカ１０７、リセットスイッチ１１４、照明スイッチ１１５Ｂｓ、緊急表示用発光ダイオード１１６Ａ、照明用発光ダイオード１１６Ｂ、商用電源接続口１２０が取り付けられている。
【００２９】
そして、ケース１５０の上面には、ケースを吊り下げるための掛け部１５２，１５３が、また正面下部に形成された凹部には、発電機操作用の手動ハンドル１５４が折り畳まれて収容されている。
【００３０】
図４は、本考案に係る緊急放送用のＦＭ送信装置の一実施形態を示すブロック線図である。この装置は、例えば地方自治体の防災対策室に設置された防災対策室装置２１０と、この防災対策室２１０からの緊急放送信号に基づきＦＭ放送を送信する送信装置２２０とを有する。
【００３１】
防災対策室装置２１０には、緊急放送を行う際に投入されるスイッチＳＷ、およびマイクロフォンＭＩＣ、ならびに外部にある携帯機器２１１からの信号を受信して公衆回線を経由して防災対策室装置２１０に送り込む受信機２１２が設けられている。そして、この防災対策室装置２１０は、電話回線等の回線を介して送信装置２２０に接続されている。さらに、信号源としては、ディスク（ＣＤ，ＭＤ等）を利用することもできる。
【００３２】
送信装置２２０には、スイッチＳＷの投入により所定ＤＴＭＦ信号を形成するＤＴＭＦ信号発生器２２１、このＤＴＭＦ信号発生器２２１からのＤＴＭＦ信号とマイクロフォンＭＩＣによる音声信号とを混合した信号を形成するミキサ２２２、このミキサの出力をＦＭ電波として送出する送信機２２３および送信アンテナ２２４が設けられている。
【００３３】
防災対策室装置２１０および送信装置２２０は、緊急放送用設備であるから、電源は停電対策が施されたものとする。
【００３４】
ＤＴＭＦ信号発生器２２１により発生するＤＴＭＦ信号は、例えば単一トーンのチップを２以上使って複数トーンを組み合わせたものとしたり、電話のＤＴＭＦ信号用のチップを利用して形成したものとしたりすればよい。後者は、前者よりも誤動作が少ない。
【００３５】
図５は、図４に示した送信装置２００の緊急放送時における送信信号の切り替えの様子を示したものである。緊急事態発生により時点ｔ１で当局から緊急放送指示が入ると、通常放送信号を絞り、時点ｔ２からｔ３までのＤＴＭＦ信号を挟んで緊急放送に移行する。時点ｔ４で緊急放送が終了すると、時点ｔ５までＤＴＭＦ信号を送出して通常放送に戻る。
【図面の簡単な説明】
【００３６】
【図１】本考案の一実施形態の構成を示す説明図。
【図２】本考案に係る緊急放送受信用のＦＭ受信機の一実施形態を示すブロック線図。
【図３】図２に示したＦＭ受信機１５０の外観を示した斜視図。
【図４】本考案に係る緊急放送用のＦＭ送信装置の一実施形態を示すブロック線図。
【図５】図４に示した送信装置２００の緊急放送時における送信信号の切り替えの様子を示したタイムチャート。
【符号の説明】
【００３７】
１００  受信機、１０１a  電波受信アンテナ、１０１b  Ｆ型コネクタ、
１０２  フィルタ、１０３  スイッチ、１０４  ＦＭチューナ、
１０５  アンプ、１０６  スイッチ付きボリューム、１０７  スピーカ、
１１１  ＤＴＭＦ判定回路、１１２  ＤＴＭＦ設定スイッチ、
１１３  保持回路、１１４  了解スイッチ、１１５Ａ  緊急表示回路、
１１５Ｂ  照明回路、１１５Ｂｓ  照明スイッチ、１１６  発光ダイオード、
１１７  電源オンスイッチ、１１８  音量増大スイッチ、１１９  発電機、
１２０  商用電源、１２１  停電検知回路、１２２  整流回路、
１２３  充電式電池、２００  送信機、２１０  防災対策室装置、
２１１  携帯機器、２２０  送信装置、２２１  ＤＴＭＦ信号発生装置、
２２２  ミキサ、２２３  送信機、２２４  電波送信用アンテナ装置。
【図１】
0003118188.tif 000003
【図２】
0003118188.tif 000004
【図３】
0003118188.tif 000005
【図４】
0003118188.tif 000006
【図５】
0003118188.tif 000007